(57)【要約】      （修正有）【課題】折り畳み表示と展開表示の切り替えについて、不足部分を解決し、再生時や編集時／プリント予約時等で、連写した組画像とその個々の連写画像の表示切り替えを容易に行うことのできる画像表示装置及びカメラを提供する。【解決手段】カメラ１０に於いて、複数の画像が内蔵メモリ、外部メモリに記憶され、これらに記憶された画像が表示部１５に表示される。そして、表示部１５に表示された画像の１つが、操作部内の各種ボタンで指示される。上記複数の画像のうち、一連の複数の画像を代表する画像を表示部１５に表示させる折り畳みモードと、一連の複数の画像全てを展開して上記表示部１５に表示させる展開モードとが、操作部内の連写ボタンによって切り替えられる。【選択図】図１
2010183523.tif 000002
【特許請求の範囲】
【請求項１】
複数の画像を記憶する記憶手段と、
上記記憶手段が記憶する画像を表示する表示手段と、
上記表示手段が表示する画像の所定箇所を指示する指示手段と、
上記複数の画像のうち、一連の複数の画像を代表する画像を上記表示手段に表示させる折り畳みモードと、上記一連の複数の画像全てを展開して上記表示手段に表示させる展開モードと、を切り替える表示モード切り替え手段と、
を具備することを特徴とする画像表示装置。
【請求項２】
上記表示モード切り替え手段は、
上記一連の複数の画像を代表する画像を上記表示手段が表示している時、若しくは上記一連の複数の画像を代表する画像を上記指示手段が指示している時には、上記折り畳みモードから上記展開モードに切り替え、
上記表示手段に展開された一連の複数の画像を表示している時、若しくは上記展開された一連の複数の画像の１つを上記指示手段が指示している時には、上記展開モードから上記折り畳みモードに切り替える
ことを特徴とする請求項１に記載の画像表示装置。
【請求項３】
上記表示モード切り替え手段は、
上記一連の複数の画像を代表する画像を上記表示手段が表示している時、若しくは上記一連の複数の画像を代表する画像を上記指示手段が指示している時には、該一連の複数の画像のみを上記折り畳みモードから上記展開モードへ切り替えることを特徴とする請求項１若しくは２に記載の画像表示装置。
【請求項４】
上記表示モード切り替え手段は、
上記一連の複数の画像を代表する画像を上記表示手段が表示している時、若しくは上記一連の複数の画像を代表する画像を上記指示手段が指示している時には、上記記憶手段が記憶している全ての一連の複数の画像を上記折り畳みモードから上記展開モードへ切り替えることを特徴とする請求項１若しくは２に記載の画像表示装置。
【請求項５】
上記表示モード切り替え手段は、
上記表示手段に展開された一連の複数の画像を表示している時、若しくは上記展開された一連の複数の画像の１つを上記指示手段が指示している時に、該一連の複数の画像のみを上記展開モードから上記折り畳みモードへ切り替えることを特徴とする請求項１乃至４の何れか１項に記載の画像表示装置。
【請求項６】
上記表示モード切り替え手段は、
上記表示手段に展開された一連の複数の画像を表示している時、若しくは上記展開された一連の複数の画像の１つを上記指示手段が指示している時に、上記記憶手段が記憶している全ての一連の画像を上記展開モードから上記折り畳みモードへ切り替えることを特徴とする請求項１乃至４の何れか１項に記載の画像表示装置。
【請求項７】
上記表示手段は、
上記一連の複数の画像全てを上記表示手段が表示する展開モードの際、該一連の複数の画像のみを表示する、若しくは該一連の複数の画像を含めて上記記憶手段が記憶している全ての画像を表示することを特徴とする請求項１乃至６の何れか１項に記載の画像表示装置。
【請求項８】
上記指示手段は、上記表示手段に表示された画像の１つを指示することを特徴とする請求項１に記載の画像表示装置。
【請求項９】
撮影した画像を記憶して、該記憶された画像を表示手段に表示するカメラに於いて、
複数の画像を記憶する記憶手段と、
上記表示手段が表示する画像の所定箇所を指示する指示手段と、
上記複数の画像のうち、一連の複数の画像を代表する画像を上記表示手段に表示させる折り畳みモードと、上記一連の複数の画像全てを展開して上記表示手段に表示させる展開モードと、を切り替える表示モード切り替え手段と、
を具備することを特徴とするカメラ。
【請求項１０】
上記表示モード切り替え手段は、
上記一連の複数の画像を代表する画像を上記表示手段が表示している時、若しくは上記一連の複数の画像を代表する画像を上記指示手段が指示している時には、上記折り畳みモードから上記展開モードに切り替え、
上記表示手段に展開された一連の複数の画像を表示している時、若しくは上記展開された一連の複数の画像の１つを上記指示手段が指示している時には、上記展開モードから上記折り畳みモードに切り替える
ことを特徴とする請求項９に記載のカメラ。
【請求項１１】
上記表示モード切り替え手段は、
上記一連の複数の画像を代表する画像を上記表示手段が表示している時、若しくは上記一連の複数の画像を代表する画像を上記指示手段が指示している時には、該一連の複数の画像のみを上記折り畳みモードから上記展開モードへ切り替えることを特徴とする請求項９若しくは１０に記載のカメラ。
【請求項１２】
上記表示モード切り替え手段は、
上記一連の複数の画像を代表する画像を上記表示手段が表示している時、若しくは上記一連の複数の画像を代表する画像を上記指示手段が指示している時には、上記記憶手段が記憶している全ての一連の複数の画像を上記折り畳みモードから上記展開モードへ切り替えることを特徴とする請求項９若しくは１０に記載のカメラ。
【請求項１３】
上記表示モード切り替え手段は、
上記表示手段に展開された一連の複数の画像を表示している時、若しくは上記展開された一連の複数の画像の１つを上記指示手段が指示している時に、該一連の複数の画像のみを上記展開モードから上記折り畳みモードへ切り替えることを特徴とする請求項９乃至１２何れか１項に記載のカメラ。
【請求項１４】
上記表示モード切り替え手段は、
上記表示手段に展開された一連の複数の画像を表示している時、若しくは上記展開された一連の複数の画像の１つを上記指示手段が指示している時に、上記記憶手段が記憶している全ての一連の画像を上記展開モードから上記折り畳みモードへ切り替えることを特徴とする請求項９乃至１２の何れか１項に記載のカメラ。
【請求項１５】
上記表示手段は、
上記一連の複数の画像全てを上記表示手段が表示する展開モードの際、該一連の複数の画像のみを表示する、若しくは該一連の複数の画像を含めて上記記憶手段が記憶している全ての画像を表示することを特徴とする請求項９乃至１４の何れか１項に記載のカメラ。
【請求項１６】
上記指示手段は、上記表示手段に表示された画像の１つを指示することを特徴とする請求項９に記載のカメラ。
【発明の詳細な説明】
【技術分野】
【０００１】
本発明は画像表示装置及びカメラに関し、より詳細には、連写画像群をひとまとめにして表示するモードと展開して全ての画像を表示するモードとを切り替え可能な画像表示装置及びカメラに関するものである。
【背景技術】
【０００２】
従来のデジタルカメラに於ける連写再生は、連写した「組画像」と、その「個々の連写画像」について、再生時や編集時／プリント予約時等で、連写した「組画像」とその「個々の連写画像」のどちらを見るのかを、切り替えたりする際の操作性（使い勝手）で不便な面が多々ある。
【０００３】
このような連写した「組画像」とその「個々の連写画像」とを切り替えて見るために、例えば、下記特許文献１乃至４に記載されたような技術が知られている。
【０００４】
例えば、下記特許文献１には、ブレ具合等での評価値を基準に検索する旨が記載されている。
【０００５】
また、下記特許文献２には、連写再生について代表画像を使った管理方法が定義されている。
【０００６】
更に、下記特許文献３には、連写画像の組み画像と個々の画像について、効率よく閲覧する操作性や「展開表示」について記載されている。
【先行技術文献】
【特許文献】
【０００７】
【特許文献１】特開２０００−２５３３０４号公報
【特許文献２】特開２００１−３１３８９５号公報
【特許文献３】特開２００２−１８５８４１号公報
【発明の概要】
【発明が解決しようとする課題】
【０００８】
しかしながら、上記特許文献１に記載の技術では、連写に関して、組画像とそれぞれ個々の画像についての使い分けの対策にはなっていない。
【０００９】
また、上記特許文献２に記載の技術には、連写画像の塊と個々の画像の対策についての記述はない。
【００１０】
更に、上記特許文献３には、編集時やプリント予約等での画像選択時の「折り畳み表示」と「展開表示」の切り替えについて、様々なパターンの記述と各パターンの特徴については触れていないものであった。
【００１１】
したがって本発明は、上記実情に鑑みてなされたものであり、その目的は、折り畳み表示と展開表示の切り替えについて、不足部分を解決し、再生時や編集時／プリント予約時等で、連写した組画像とその個々の連写画像の表示切り替えを容易に行うことのできる画像表示装置及びカメラを提供することである。
【課題を解決するための手段】
【００１２】
すなわち本発明は、複数の画像を記憶する記憶手段と、上記記憶手段が記憶する画像を表示する表示手段と、上記表示手段が表示する画像の所定箇所を指示する指示手段と、上記複数の画像のうち、一連の複数の画像を代表する画像を上記表示手段に表示させる折り畳みモードと、上記一連の複数の画像全てを展開して上記表示手段に表示させる展開モードと、を切り替える表示モード切り替え手段と、を具備することを特徴とする。
【００１３】
また本発明は、撮影した画像を記憶して、該記憶された画像を表示手段に表示するカメラに於いて、複数の画像を記憶する記憶手段と、上記表示手段が表示する画像の所定箇所を指示する指示手段と、上記複数の画像のうち、一連の複数の画像を代表する画像を上記表示手段に表示させる折り畳みモードと、上記一連の複数の画像全てを展開して上記表示手段に表示させる展開モードと、を切り替える表示モード切り替え手段と、を具備することを特徴とする。
【発明の効果】
【００１４】
本発明によれば、折り畳み表示と展開表示の切り替えについて、不足部分を解決し、再生時や編集時／プリント予約時等で、連写した組画像とその個々の連写画像の表示切り替えを容易に行うことのできる画像表示装置及びカメラを提供することができる。
【図面の簡単な説明】
【００１５】
【図１】本発明の一実施形態であって、画像表示装置を備えたデジタルカメラの構成を示すもので、（ａ）は表面側から見た外観斜視図、（ｂ）は背面側から見た外観斜視図である。
【図２】図１のカメラの主に電気系の概略構成を示すブロック図である。
【図３】本発明の一実施形態に於けるカメラの表示の切り替えの例について説明するもので、折り畳み表示でそれぞれ一組にまとめられていた連写画像を、展開表示時には全て展開して単写画像と並べて表示することを表すタイプ１の例を示した図である。
【図４】本発明の一実施形態に於けるカメラの表示の切り替えの例について説明するもので、折り畳み表示でそれぞれ一組にまとめられていた連写画像のみを、展開表示時には全て展開して単写画像と並べて表示することを表すタイプ２の例を示した図である。
【図５】本発明の一実施形態に於けるカメラの表示の切り替えの例について説明するもので、第１階層の展開表示時には折り畳み表示時に指定された連写画像のみ他の画像と並べて表示され、更に第１階層の展開表示時に指定された連写画像が第２階層で展開されて、他の画像と並べて表示されることを表すタイプ３の例を示した図である。
【図６】本発明の一実施形態に於けるカメラの表示の切り替えの例について説明するもので、第１階層の展開表示時には折り畳み表示時に指定された連写画像のみ他の画像と並べて表示され、更に第１階層の展開表示時に指定された連写画像が第２階層で展開されて、他の画像と並べて表示され、展開表示から折り畳み表示に移行する場合は指定された連写画像のみ折り畳まれて表示されることを表すタイプ４の例を示した図である。
【図７】本発明の一実施形態に於けるカメラの表示の切り替えの例について説明するもので、展開表示時は一組の連写画像の中身だけが再生されことを表すタイプ５の例を示した図である。
【図８】本発明の一実施形態に於けるカメラ１０の画面表示の例について説明するもので、１コマのみ表示部１５に表示される場合の折り畳み表示時の連写画像の表示例を示した図である。
【図９】本発明の一実施形態に於けるカメラ１０の画面表示の例について説明するもので、折り畳み表示をインデックス表示にした場合の表示例を示した図である。
【図１０】本発明の一実施形態に於けるカメラ１０の画面表示の例について説明するもので、１コマのみ表示部１５に表示される場合の展開表示時の連写画像の表示例を示した図である。
【図１１】本発明の一実施形態に於けるカメラ１０の画面表示の例について説明するもので、連写画像を全て展開した場合の展開表示をインデックス表示にした表示例であって、（ａ）は１ページ目、（ｂ）は２ページ目を表した図である。
【図１２】本発明の一実施形態に於けるカメラ１０の画面表示の例について説明するもので、指定された連写画像のみ展開した場合の展開表示をインデックス表示にした表示例であって、（ａ）は第１段階による表示、（ｂ）は第２段階による表示を表した図である。
【図１３】本発明の一実施形態に於けるカメラ１０の画面表示の例について説明するもので、指定された連写画像のみ展開した場合の展開表示をインデックス表示にした表示例であって、（ａ）は第１段階による第１の表示、（ｂ）は第１段階による第２の表示、（ｃ）は第２段階による表示を表した図である。
【図１４】本発明の一実施形態に於けるカメラ１０の画面表示の例について説明するもので、指定された連写画像のみ展開した場合の展開表示をインデックス表示にした表示例を示した図である。
【図１５】本発明の一実施形態に於けるカメラ１０の画面表示の例について説明するもので、連写画像が展開されたうちの一コマを拡大表示した例を示した図である。
【図１６】本発明の一実施形態に於けるカメラ１０の画面表示の例について説明するもので、単写画像による一コマ表示の例を示した図である。
【図１７】本発明の一実施形態に於けるカメラ１０の画面表示の例について説明するもので、単写画像による一コマの拡大表示の例を示した図である。
【図１８】本発明の一実施形態に於けるカメラの動作を説明するためのフローチャートである。
【図１９】図１８のフローチャートのステップＳ６に於けるサブルーチン「撮影（Ａ−１）」の詳細な動作について説明するためのフローチャートである。
【図２０】図１８のフローチャートのステップＳ６に於けるサブルーチン「撮影（Ａ−１）」の詳細な動作について説明するためのフローチャートである。
【図２１】図１８のフローチャートのステップＳ６に於けるサブルーチン「撮影（Ａ−１）」の詳細な動作について説明するためのフローチャートである。
【図２２】図１８のフローチャートのステップＳ６に於けるサブルーチン「撮影（Ａ−１）」の詳細な動作について説明するためのフローチャートである。
【図２３】図１８のフローチャートのステップＳ７に於けるサブルーチン「撮影（Ａ−２）」の詳細な動作について説明するためのフローチャートである。
【図２４】図１８のフローチャートのステップＳ７に於けるサブルーチン「撮影（Ａ−２）」の詳細な動作について説明するためのフローチャートである。
【図２５】図１８のフローチャートのステップＳ７に於けるサブルーチン「撮影（Ａ−２）」の詳細な動作について説明するためのフローチャートである。
【図２６】図１８のフローチャートのステップＳ７に於けるサブルーチン「撮影（Ａ−２）」の詳細な動作について説明するためのフローチャートである。
【図２７】図１８のフローチャートのステップＳ８に於けるサブルーチン「撮影（Ｂ−１）」の詳細な動作について説明するためのフローチャートである。
【図２８】図１８のフローチャートのステップＳ８に於けるサブルーチン「撮影（Ｂ−１）」の詳細な動作について説明するためのフローチャートである。
【図２９】図１８のフローチャートのステップＳ８に於けるサブルーチン「撮影（Ｂ−１）」の詳細な動作について説明するためのフローチャートである。
【図３０】図１８のフローチャートのステップＳ８に於けるサブルーチン「撮影（Ｂ−１）」の詳細な動作について説明するためのフローチャートである。
【図３１】図１８のフローチャートのステップＳ８に於けるサブルーチン「撮影（Ｂ−１）」の詳細な動作について説明するためのフローチャートである。
【図３２】図１８のフローチャートのステップＳ８に於けるサブルーチン「撮影（Ｂ−１）」の詳細な動作について説明するためのフローチャートである。
【図３３】図１８のフローチャートのステップＳ９に於けるサブルーチン「撮影（Ｂ−２）」の詳細な動作について説明するためのフローチャートである。
【図３４】図１８のフローチャートのステップＳ９に於けるサブルーチン「撮影（Ｂ−２）」の詳細な動作について説明するためのフローチャートである。
【図３５】図１８のフローチャートのステップＳ９に於けるサブルーチン「撮影（Ｂ−２）」の詳細な動作について説明するためのフローチャートである。
【図３６】図１８のフローチャートのステップＳ９に於けるサブルーチン「撮影（Ｂ−２）」の詳細な動作について説明するためのフローチャートである。
【図３７】図１８のフローチャートのステップＳ９に於けるサブルーチン「撮影（Ｂ−２）」の詳細な動作について説明するためのフローチャートである。
【図３８】図１８のフローチャートのステップＳ９に於けるサブルーチン「撮影（Ｂ−２）」の詳細な動作について説明するためのフローチャートである。
【図３９】図１８のフローチャートのステップＳ１０に於けるサブルーチン「撮影（Ｃ）」の詳細な動作について説明するためのフローチャートである。
【図４０】図１８のフローチャートのステップＳ１０に於けるサブルーチン「撮影（Ｃ）」の詳細な動作について説明するためのフローチャートである。
【図４１】図１８のフローチャートのステップＳ１０に於けるサブルーチン「撮影（Ｃ）」の詳細な動作について説明するためのフローチャートである。
【図４２】図１８のフローチャートのステップＳ１０に於けるサブルーチン「撮影（Ｃ）」の詳細な動作について説明するためのフローチャートである。
【発明を実施するための最良の形態】
【００１６】
以下、図面を参照して本発明の実施形態を説明する。
【００１７】
図１は、本発明の一実施形態であって、画像表示装置を備えたデジタルカメラの構成を示すもので、（ａ）は表面側から見た外観斜視図、（ｂ）は背面側から見た外観斜視図である。
【００１８】
図１に於いて、このデジタルカメラ（以下、単にカメラと略記する）１０は、その表面側にズームレンズ含んだ撮影レンズ１１を有している。また、カメラ１０の上面側には、該カメラ１０に電源を投入するための電源スイッチに対応した電源ボタン１２と、各種撮影を行うためのレリーズスイッチに対応したレリーズボタン１３とが配置されている。このレリーズボタン１３は、その押下状態に応じてオン、オフする２段式のスイッチであり、ファーストレリーズスイッチ及びセカンドレリーズスイッチで構成される。レリーズボタン１３が半押しされるとファーストレリーズスイッチがオンされて撮影準備動作に入り、レリーズボタン１３が全押しされるとセカンドレリーズスイッチがオンされて撮影動作が実行されるようになっている。このレリーズボタン１３が操作されると、１枚だけの写真撮影（単写）が行われる。
【００１９】
一方、カメラ１０の背面側には、撮影した画像を表示するための表示手段である表示部（ＴＦＴ液晶）１５が設けられている。そして、この表示部１５の右側には、ズームボタン１６、連写ボタン１７、メニューボタン１８、ＯＫボタン２０及び十字ボタン２１が、それぞれ配置されている。
【００２０】
上記ズームボタン１６は、撮影レンズ１１内のズームレンズ（図示せず）を操作してズームアップ、ズームダウンの操作を行うためのスイッチである。この場合、ズームボタン１６の“Ｔ”側が押されると望遠側、“Ｗ”側が押されると広角側にズームレンズが移動するようになっている。
【００２１】
連写ボタン１７は、複数の画像を連続して撮影する連続写真撮影（連写）を行うためのスイッチに対応するもので、このボタンが押下されると連続写真撮影が行われる。更には、後述するように、表示モード切り替え手段としての機能を有している。また、メニューボタン１８は、このカメラ１０の各種機能を操作するためのスイッチであり、このメニューボタン１８が押下されると、表示部１５上に該カメラ１０の有する各種機能が表示されるようになっている。
【００２２】
ＯＫボタン２０は、上記メニューボタン１８等が操作されて表示部１５に表示された項目を選択、決定するためのボタンである。このＯＫボタン２０の周囲に配置された十字ボタン２１は、上記メニューボタン１８等が操作されて表示部１５に表示された複数の項目の中から所望の項目を選択したり、メニュー表示画面を切り替えたりするためのボタンである。この十字ボタン２１は、例えば、図示されるように、決定ボタン２０の周囲に“上”、“下”、“左”、“右”の方向を表すマークが付されている。これらのマークに対応した位置のボタン、すなわち上ボタン２１ａ、下ボタン２１ｂ、左ボタン２１ｃ、右ボタン２１ｄが押下されることにより、それぞれ“上”、“下”、“左”、“右”の位置に配されたスイッチがオンされるようになっている。尚、上記ＯＫボタン２０及び十字ボタン２１は、指示手段としての機能を有している。
【００２３】
図２は、図１のカメラの主に電気系の概略構成を示すブロック図である。
【００２４】
このカメラ１０は、撮影レンズ１１と、撮像素子２５と、撮像部２６と、アナログ−デジタル（Ａ／Ｄ）変換器２７と、画像処理部３１と、画像バッファメモリ３２と、表示処理部３３と、内蔵メモリ３４と、外部メモリ３５と、有線インターフェイス（Ｉ／Ｆ）３６と、無線インターフェイス（Ｉ／Ｆ）３７と、圧縮伸長部３８と、中央処理装置（ＣＰＵ）４０と、ｆｌａｓｈ  ＲＯＭ（フラッシュＲＯＭ）４２と、操作部４３と、マイク（録音部）４４と、表示部１５と、バス３０とを有して構成される。
【００２５】
上記撮像素子２５は、撮影時に撮影レンズ１１を介して被写体を撮影して写真画像を得るための撮影手段であり、ＣＣＤ等により構成される。撮像部２６は、撮像素子２５の電荷蓄積の開始及び終了の制御や、撮像素子２５からの画像信号の読み出し等を行う。Ａ／Ｄ変換器２７は、撮像部２６から読み出されたアナログの画像信号をデジタル信号に変換する。
【００２６】
画像処理回路３１は、上記画像を表示するための画素間引き処理、拡大表示のための切り出し処理等の画像処理のための前処理を行う。また、画像処理回路３１では、色補正、ガンマ（γ）補正、コントラスト補正等の各種の画像処理や、被写体輝度の測定(測光)も行う。
【００２７】
画像バッファメモリ３２は、画像処理部３１によって画像処理された画像データまたは圧縮伸張部３８によって圧縮された画像データを一時的に記憶するためのもので、例えばＤＲＡＭにより構成される。表示処理部３３は、画像バッファメモリ３２から読み出した画像を表示部１５に表示すべく所定の処理を行う。
【００２８】
内蔵メモリ３４は、カメラ１０に内蔵の記憶媒体であり、例えばハードディスク等で構成される。外部メモリ３５はカメラ１０より着脱自在の記憶媒体であり、例えば、ｘＤピクチャカード（登録商標）、コンパクトフラッシュ（登録商標）等で構成される。
【００２９】
有線Ｉ／Ｆ３６及び無線Ｉ／Ｆ３７は、それぞれ有線及び無線によりカメラ１０の外部と通信を行うための通信手段であり、例えばＵＳＢ、ＩｒＤＡ等が用いられる。
【００３０】
圧縮伸長部３８は、画像バッファメモリ３２に記憶された画像データを、ＪＰＥＧやＴＩＦＦ等の圧縮方式で圧縮するための回路で構成される。更に、この圧縮伸長部３８は、画像バッファメモリ３２や内蔵メモリ３４、外部メモリ３５に記録されている画像データの伸張も行う。尚、画像圧縮はＪＰＥＧやＴＩＦＦに限らず、他の圧縮方式も適用可能である。
【００３１】
ＣＰＵ４０は、ユーザの操作に従った制御を行うもので、このカメラ１０全体の制御を司るものである。フラッシュＲＯＭ４２は、このカメラ１０の動作を制御するためのプログラムが記憶されており、ＣＰＵ４０は、このフラッシュＲＯＭ４２に記憶されたプログラムに従ってカメラ１０の制御を行うものである。尚、このフラッシュＲＯＭ４２には、プログラムデータの他、アイコンデータや登録画像データ等が格納される。
【００３２】
操作部４３は、ユーザが直接このカメラ１０の操作を行うための操作手段である。この操作部４３には、上述した電源ボタン１２、レリーズボタン１３、ズームボタン１６、連写ボタン１７、メニューボタン１８、ＯＫボタン２０及び十字ボタン２１が含まれる。
【００３３】
更に、マイク４４は被写体の音声等を録音するためのものである。
【００３４】
次に、図３乃至図７を参照して、本発明の一実施形態に於けるカメラの表示の切り替えの例について説明する。
【００３５】
尚、ここでは連写により得られた連続した画像をひとまとまり（一組）の画像として、単写による画像と並べて表示されることを折り畳み表示と定義する。一方、連写により得られた連続した画像を展開して単写画像と並べて表示されることを展開画像と定義する。
【００３６】
例えば、図３に示されるタイプ１の例は、折り畳み表示でそれぞれ一組にまとめられていた連写画像を、展開表示時には全て展開して単写画像と並べて表示することを表している。これは、折り畳み表示で所望の画像を検索し、展開して連写画像の中身を見る、というような場合に使用される。この例では、画像の再生機能へ遷移時は展開状態にしても違和感はない。
【００３７】
尚、図中の各ブロックの右下に記されている数字は、画像のコマ数を表している。単写画像の場合はそのコマ数（例えば、“１”）を表し、連写画像の場合はその最初の画像のコマ数とそれに続く画像が存在すること（例えば、“２〜”）を表している。
【００３８】
次に、図４に示されるタイプ２の例は、折り畳み表示でそれぞれ一組にまとめられていた連写画像のみを、展開表示時には全て展開して単写画像と並べて表示することを表している。これは、上述したタイプ１と同様に、折り畳み表示で所望の画像を検索し、展開して連写画像の中身を見る、というような場合に使用される。この例でも、画像の再生機能へ遷移時は展開状態にしても違和感はない。
【００３９】
図５に示されるタイプ３の例は、第１階層の展開表示時には折り畳み表示時に指定された連写画像のみ他の画像と並べて表示され、更に第１階層の展開表示時に指定された連写画像が第２階層で展開されて、他の画像と並べて表示されることを表している。つまり、指定された順に連写画像が展開されて順次並べて表示されることになる。一方、展開表示から折り畳み表示に移行する場合は、どの階層からでも全ての連写画像が折り畳まれて表示される。
【００４０】
この展開表示では、複数の連写画像の中身を同時に見ることができる。したがって、連写画像が多数ある場合に、コマ送り操作が少なくて済み、いくつ展開しても最終的に戻る先が折り畳み表示であるので、簡単に折り畳み表示に戻ることができる。
【００４１】
図６に示されるタイプ４の例は、展開表示時は、上述したタイプ３の例と同様に、第１階層の展開表示時には折り畳み表示時に指定された連写画像のみ他の画像と並べて表示され、更に第１階層の展開表示時に指定された連写画像が第２階層で展開されて、他の画像と並べて表示される。但し、展開表示から折り畳み表示に移行する場合は、指定された連写画像のみ折り畳まれて表示される。
【００４２】
この展開表示では、上述したタイプ３の例と同様に、複数の連写画像の中身を同時に見ることができる。そして、展開表示から折り畳み表示に移行する場合は、１つ前の階層に戻ることになる。
【００４３】
図７に示されるタイプ５の例は、展開表示時は一組の連写画像の中身だけが再生される。すなわち、折り畳み表示時に指定された組の連写画像のみが展開表示される。これは、単一の連写画像の中身を簡単に見たり編集したりする場合に使用される。この例では、連写画像の組が多数ある場合に、コマ送り操作が少なくて済み、操作が容易でわかりやすいという利点がある。
【００４４】
次に、図８乃至図１７を参照して、本発明の一実施形態に於けるカメラ１０の画面表示の例について説明する。
【００４５】
図８（ａ）〜（ｄ）は、１コマのみ表示部１５に表示される場合の折り畳み表示時の連写画像の表示例を示した図である。
【００４６】
図８（ａ）の例では、被写体画像５０の中の一部（この場合右下部）に、連写画像であることを表すアイコン５１ａと当該画像のコマ数“２−５”を表すアイコン５２が表示されている。また、図８（ｂ）の例では、表示部１５の画面内に最初の被写体画像５０を一番上にして当該連写画像が重ねられて表示されている。この画像が重ねられている表示が連写画像を表すアイコン５１ｂであり、一番上の被写体画像５０の中の一部（この場合右下部）にコマ数を表すアイコン５２が表示されている。
【００４７】
図８（ｃ）の例では、表示部１５の画面内に連写画像の最初のコマの被写体画像５０が大きく表示され、この被写体画像５０の下側に当該連写画像の残りのコマの画像が縮小画像５１ｃとして横方向に並べて表示されている。また、画面内には、連写画像のコマ数を表すアイコン５２が表示される。この場合、縮小画像５１ｃは、当該連写画像の全てのコマを表示するものでなくともよく、例えば、所定数毎に表示するものであってもよい。或いは、スクロールバーを設けて表示されるコマを移動させるようにしてもよい。
【００４８】
図８（ｄ）の例では、表示部１５の画面内に連写画像の最初のコマの被写体画像５０が表示され、この被写体画像５０の右側に当該連写画像の残りのコマの画像が縮小画像５１ｄとして縦方向に並べて表示されている。また、画面内には、連写画像のコマ数を表すアイコン５２が表示される。この場合、図８（ｃ）の例と同様に、縮小画像５１ｄは、当該連写画像の全てのコマを表示するものでなくともよく、例えば、所定数毎に表示したり、スクロールバーを設けて表示されるコマを移動させるようにしてもよい。
【００４９】
図９は、折り畳み表示をインデックス表示にした場合の表示例である。この表示例では、単写画像と連写画像とが混在している。
【００５０】
図９に於いて、表示部１５の画面内に、１コマ目の単写画像５４ａ、１０コマ目の単写画像５４ｂと、２〜５コマの連写画像５５ａ、６〜９コマの連写画像５５ｂ、１１〜１５コマの連写画像５５ｃが、全て表示されている。この場合、連写画像５５ａ、５５ｂ、５５ｃは連写であることを表すために、画像が重ねられると共に複数である旨のコマ数（例えば、“２−５”）が表示され、単写画像５４ａ、５４ｂはそのコマ数（例えば、“１”）が表示される。
【００５１】
尚、図８（ａ）〜（ｄ）に示される１コマ表示と図９に示されるインデックス表示とは、例えば、ズームボタン１６の“Ｗ”、“Ｔ”が押下されることによって切り替えられるようになっている。
【００５２】
図１０（ａ）及び（ｂ）は、１コマのみ表示部１５に表示される場合の展開表示時の連写画像の表示例を示した図である。
【００５３】
図１０（ａ）の例では、被写体画像５０の中の一部（この場合左下部）に、連写画像であることを表すアイコン５１ａと当該画像のコマ数“２−５”を表すアイコン５２が表示されている。そして、アイコン５２とは別に、被写体画像５０の中の一部（この場合右下部）に、当該連写画像の中の１コマであるコマ数“３”を表すアイコン５６が表示されている。
【００５４】
また、図１０（ｂ）の例では、表示部１５の画面内に、連続した画像である旨がフィルムのように見立てられて表示されている。すなわち、連写画像の中の１コマの被写体画像５０が中央に表示され、その画像中の一部（この場合右下部）に、当該連写画像の中の１コマであるコマ数“３”を表すアイコン５６が表示されている。この場合、中央に表示されている被写体画像５０の左右に、当該画像の前後のコマ（この場合、“２”及び“４”）の画像がある旨がわかるようになっている。
【００５５】
図１１（ａ）及び（ｂ）は連写画像を全て展開した場合の展開表示をインデックス表示にした表示例であり、（ａ）は１ページ目、（ｂ）は２ページ目を表している。
【００５６】
このインデックス表示による展開表示の例は、図３及び図４に示される上述したタイプ１及びタイプ２の展開表示に相当する。
【００５７】
図１１（ａ）及び（ｂ）には、例えば、表示部１５の１画面に９コマとして被写体画像がインデックス表示されている。そして、各被写体画像の中の一部（この場合右下部）に、それぞれのコマ数を表すアイコンが表示されている。また、同画面の右側には、当該画面だけでなく他の画面がある旨を告知するために、スクロールバー５９が設けられている。
【００５８】
図１２（ａ）及び（ｂ）は指定された連写画像のみ展開した場合の展開表示をインデックス表示にした表示例であり、（ａ）は第１段階による表示、（ｂ）は第２段階による表示を表している。
【００５９】
このインデックス表示による展開表示の例は、図５に示される上述したタイプ３の展開表示に相当する。
【００６０】
図３または図４に示されるような折り畳み表示から、例えばコマ数が“２〜５”の連写画像が指定されたとすると、第１段階として、図１２（ａ）に示されるようなインデックス表示による第１階層の展開表示がなされる。この場合、元々の単写画像（コマ数“１”）６０1 、単写画像（コマ数“１０”）６０10と共に、連写画像（コマ数“２〜５”）が展開された画像（コマ数“２”、“３”、“４”、“５”）６０2 、６０3 、６０4 、６０5 、更には連写画像（コマ数“６〜９”、“１１〜１５”）６１ａ、６１ｂが、第１段階で表示される。
【００６１】
次いで、例えば図１２（ａ）に示される連写画像（コマ数“６〜９”）６１ａが指定されると、第２段階として、図１２（ｂ）に示されるようなインデックス表示による第２階層の展開表示がなされる。つまり、元々の単写画像（コマ数“１”、“１０”）６０1 、６０10と、連写画像（コマ数“２〜５”、“６〜９”）が展開された画像（コマ数“２”、“３”、“４”、“５”、“６”、“７”、“８”、“９”）６０2 、６０3 、６０4 、６０5 、６０6 、６０7 、６０8 、６０9 、及び連写画像（コマ数“１１〜１５”）６１ｂが、第２段階で表示される。
【００６２】
また、展開表示から折り畳み表示に移行する場合は、図１２（ａ）に示される第１階層、図１２（ｂ）に示される第２階層若しくはそれ以上の階層からであっても、折り畳み表示に戻る。
【００６３】
図１３（ａ）〜（ｃ）は指定された連写画像のみ展開した場合の展開表示をインデックス表示にした表示例であり、（ａ）は第１段階による第１の表示、（ｂ）は第１段階による第２の表示、（ｃ）は第２段階による表示を表している。
【００６４】
このインデックス表示による展開表示の例は、図６に示される上述したタイプ４の展開表示に相当する。
【００６５】
図３または図４に示されるような折り畳み表示から、例えばコマ数が“２〜５”の連写画像が指定されたとすると、第１段階の第１の表示として、図１３（ａ）に示されるようなインデックス表示による第１階層の展開表示がなされる。この場合、元々の単写画像（コマ数“１”）６０1 、単写画像（コマ数“１０”）６０10と共に、連写画像（コマ数“２〜５”）が展開された画像（コマ数“２”、“３”、“４”、“５”）６０2 、６０3 、６０4 、６０5 、更には連写画像（コマ数“６〜９”、“１１〜１５”）６１ａ、６１ｂが、第１段階で表示される。
【００６６】
次いで、例えば図１３（ａ）に示されるような連写画像（コマ数“６〜９”）６１ａが指定されると、第２段階として、図１３（ｃ）に示されるようなインデックス表示による第２階層の展開表示がなされる。つまり、元々の単写画像（コマ数“１”、“１０”）６０1 、６０10と、連写画像（コマ数“２〜５”、“６〜９”）が展開された画像（コマ数“２”、“３”、“４”、“５”、“６”、“７”、“８”、“９”）６０2 、６０3 、６０4 、６０5 、６０6 、６０7 、６０8 、６０9 、及び連写画像（コマ数“１１〜１５”）６１ｂが、第２段階で表示される。
【００６７】
ここで、図１３（ｃ）に示されるような第２段階による第２階層の展開表示の状態にて、展開された画像の何れかが指定されたとすると、指定された当該画像が含まれる連写画像のみが折り畳まれて第１階層が表示される。例えば、展開された画像（コマ数“２”、“３”、“４”、“５”）６０2 、６０3 、６０4 、６０5 の何れかが指定されたとすると、図１３（ｃ）に示される第２段階の第２階層の展開表示から、図１３（ｂ）に示されるような第１段階の第２の表示となる第１階層の展開表示に移行する。
【００６８】
つまり、ここでは、第１段階の第２の表示として、元々の単写画像（コマ数“１”）６０1 、単写画像（コマ数“１０”）６０10と共に、連写画像（コマ数“６〜９”）が展開された画像（コマ数“６”、“７”、“８”、“９”）６０6 、６０7 、６０8 、６０9 、折り畳まれた連写画像（コマ数“２〜５”）６１ｃ、及び連写画像（コマ数“１１〜１５”）６１ｂが、第１段階で表示される。
【００６９】
尚、ここでは、折り畳み表示から展開表示に移行する際に第１段階の第１の表示を経由して第２段階に移行し、展開表示から折り畳み表示に移行する際に第２段階の表示から第１段階の第２表示を経由する例を説明したが、これに限られるものではない。折り畳み表示から展開表示に移行する際に展開した表示例と同じルートを逆に通って展開表示から折り畳み表示に移行してもよいのは勿論であり、また、折り畳み表示から展開表示への移行時と全く異なるルートで展開表示から折り畳み表示に移行してもよい。何れにしても、展開表示、折り畳み表示とも、次の１階層ずつ表示されるようになっている。
【００７０】
図１４は、指定された連写画像のみ展開した場合の展開表示をインデックス表示にした表示例である。
【００７１】
このインデックス表示による展開表示の例は、図７に示される上述したタイプ５の展開表示に相当する。
【００７２】
図３または図４に示されるような折り畳み表示から、例えばコマ数が“２〜５”の連写画像が指定されたとすると、図１４に示されるようなインデックス表示による展開表示がなされる。この場合、連写画像（コマ数“２〜５”）が展開された画像（コマ数“２”、“３”、“４”、“５”）６０2 、６０3 、６０4 、６０5 が表示部１５の画面に表示される。また、これらの展開された画像と共に、連写画像であることを表すアイコン５１ａが、画面の一部（この場合左上部）に表示される。
【００７３】
図１５は、連写画像が展開されたうちの一コマを拡大表示した例を示した図である。
【００７４】
この場合、画面内に拡大表示された画像の一部（この場合右下部）に、コマ数（この場合“４”）を表すアイコン５６が表示されている。また、連写画像を表すアイコン５１ｂも、拡大表示された画像の一部（この場合左下部）に表示されている。尚、図中６５は、拡大表示時に画面スクロールの方向を表すアイコンである。
【００７５】
図１６は、単写画像による一コマ表示の例を示した図である。
【００７６】
この場合、画面内に被写体画像５０と、該画像の一部（この場合右下部）に、コマ数（この場合“１０”）を表すアイコン５６が表示されている。
【００７７】
図１７は、単写画像による一コマの拡大表示の例を示した図である。
【００７８】
この場合、画面内に拡大表示された画像の一部（この場合右下部）に、コマ数（この場合“１０”）を表すアイコン５６が表示されている。この表示画面では、単写画像の拡大表示であるため、図１５に示されるような、連写画像を表すアイコン５１ｂは表示されない。
【００７９】
次に、図１８乃至図４２のフローチャートを参照して、本発明の一実施形態に於けるカメラの動作について説明する。
【００８０】
尚、このカメラ１０の動作は、主にＣＰＵ４０の制御によって行われる。
【００８１】
図１８は、本発明の一実施形態に於けるカメラの動作を説明するためのフローチャートである。
【００８２】
先ず、ステップＳ１にて、カメラ１０の本体に設けられている電源ボタン１２が押下されて電源がオンされると、続くステップＳ２に於いてカメラ１０内の全ての連写画像を展開するか否かが判断される。ここで、全ての連写画像について展開がなされる場合はステップＳ３へ移行し、そうでない場合はステップＳ４へ移行する。
【００８３】
ステップＳ３では、展開表示が連写画像のみが対応しているか否かが判断される。ここで、対象が連写画像のみでない場合は、ステップＳ６に移行して、サブルーチン「撮影（Ａ−１）」が実行される。一方、上記ステップＳ３にて対象が連写画像のみの場合は、ステップＳ７に移行して、サブルーチン「撮影（Ａ−２）」が実行される。
【００８４】
一方、ステップＳ４では、展開表示された際に他の画像も再生表示するか否かが判断される。ここで、展開された連写画像以外の画像も再生する場合はステップＳ５へ移行して、折り畳み表示時に全ての連写画像を折り畳むか否かが判断される。その結果、全ての連写画像を折り畳む場合はステップＳ８に移行して、サブルーチン「撮影（Ｂ−１）」が実行される。一方、上記ステップＳ５にて、全ての連写画像は折り畳まない場合は、ステップＳ９に移行して、サブルーチン「撮影（Ｂ−２）」が実行される。
【００８５】
また、上記ステップＳ４にて、展開表示された際に他の画像は再生表示しない場合は、ステップＳ１０に移行して、サブルーチン「撮影（Ｃ）」が実行される。
【００８６】
そして、上記ステップＳ６〜Ｓ１０の各サブルーチンが実行されたならば、ステップＳ１１にて電源ボタン１２が押下されて電源がオフにされ、本シーケンスが終了する。
【００８７】
尚、上述したステップＳ２〜Ｓ５の判断は、撮影者がメニューボタン１８、ＯＫボタン２０、十字ボタン２１等を操作した結果に従ってなされる。
【００８８】
次に、図１９乃至図２２のフローチャートを参照して、図１８のフローチャートのステップＳ６に於けるサブルーチン「撮影（Ａ−１）」の詳細な動作について説明する。
【００８９】
本サブルーチンに入ると、先ず、ステップＳ２１にて、表示部１５に折り畳み表示による画像が表示される。このとき表示される例としては、図８（ａ）〜（ｄ）、図９、図１６、図１７に示される連写画像または単写画像が相当する。
【００９０】
その後、ステップＳ２２以降の処理動作により、カメラ１０の各種ボタンによる指示が検知される。ステップＳ２２では、レリーズボタン１３が押下（オン（ＯＮ））されたか否かが判断される。ここで、レリーズボタン１３がオンされたならば、ステップＳ２３に移行して、通常の単写撮影による１枚の撮影が行われる。その後、上記ステップＳ２２に移行する。
【００９１】
上記ステップＳ２２にてレリーズボタン１３がオンされていない場合は、次にステップＳ２４に於いて、ズームボタン１６が操作（ＯＮ）されたか否かが判断される。ここで、ズームボタン１６が操作された場合は、ステップＳ２５に於いて、表示部１５に表示される画像は１コマであるか否かが判断される。
【００９２】
このステップＳ２５にて１コマ表示である場合は、ステップＳ２６に於いて、ズームボタン１６が望遠側（“Ｔ”）に操作されたか広角側（“Ｗ”）に操作されたかが判断される。その結果、望遠側にズームボタン１６が操作された場合は、ステップＳ２７に移行して、図１７に示されるような拡大表示がなされる。その後、上記ステップＳ２２に移行する。一方、上記ステップＳ２６にて広角側にズームボタン１６が操作された場合は、ステップＳ２８に移行して、図９に示されるようなインデックス表示がなされる。その後、上記ステップＳ２２に移行する。
【００９３】
上記ステップＳ２５にて１コマ表示でない場合は、ステップＳ２９に於いて拡大表示であるか否かが判断される。ここで、拡大表示の場合は、ステップＳ３０に移行して、ズームボタン１６が望遠側に操作されたか広角側に操作されたかが判断される。その結果、望遠側にズームボタン１６が操作された場合は、ステップＳ３１に移行して、図１７に示されるように拡大倍率が上げられて画像が表示される。その後、上記ステップＳ２２に移行する。一方、上記ステップＳ３０にて広角側にズームボタン１６が操作された場合は、ステップＳ３２に移行して、図８（ａ）〜（ｄ）または図１６に示されるような１コマまたは拡大倍率が下げられた画像が表示される。その後、上記ステップＳ２２に移行する。
【００９４】
更に、上記ステップＳ２９にて拡大表示がなされないと判断された場合は、ステップＳ３３に移行して、ズームボタン１６が望遠側に操作されたか広角側に操作されたかが判断される。その結果、望遠側にズームボタン１６が操作された場合は、ステップＳ３４に移行して、図８（ａ）〜（ｄ）または図１６に示されるような１コマの画像が表示される。その後、上記ステップＳ２２に移行する。一方、上記ステップＳ３３にて広角側にズームボタン１６が操作された場合は、ステップＳ３５に移行して、図９に示されるように、現在のｎ行列より大きいｎ＋１行列のインデックス表示による画像が表示される。つまり、それまでのインデックス表示が３×３行列であった場合は、４×４行列となる。その後、上記ステップＳ２２に移行する。
【００９５】
上記ステップＳ２４にて、ズームボタン１６が操作されない場合は、ステップＳ３６に於いて十字ボタン２１が操作（ＯＮ）されたか否かが判断される。ここで、十字ボタン２１が操作された場合は、ステップＳ３７に移行する。
【００９６】
ステップＳ３７では、表示部１５に表示される画像は１コマであるか否かが判断される。ここで、１コマ表示である場合は、ステップＳ３８に移行して、十字ボタン２１の左ボタン２１ｃ、右ボタン２１ｄの操作により、コマ送り／戻し動作が行われる。その後、上記ステップＳ２２に移行する。
【００９７】
上記ステップＳ３７にて１コマ表示でない場合は、ステップＳ３９に於いて拡大表示であるか否かが判断される。ここで、拡大表示の場合は、ステップＳ４０に移行して、十字ボタン２１の上ボタン２１ａ、下ボタン２１ｂ、左ボタン２１ｃ、右ボタン２１ｄにより、画面に表示されている画像の移動が、その方向に対応して行われる。その後、上記ステップＳ２２に移行する。
【００９８】
更に、上記ステップＳ３９にて拡大表示がなされないと判断された場合は、ステップＳ４１に移行して、十字ボタン２１の上ボタン２１ａ、下ボタン２１ｂ、左ボタン２１ｃ、右ボタン２１ｄにより、画面内のカーソルが、その方向に対応して移動される。その後、上記ステップＳ２２に移行する。
【００９９】
上記ステップＳ３６に於いて十字ボタン２１が操作されない場合は、ステップＳ４２に移行する。ここで、連写ボタン１７が押下（オン（ＯＮ））された場合は、ステップＳ４３に移行して、図１１（ａ）、（ｂ）に示されるような、連写画像の展開表示が行われる。その後、ステップＳ４５に移行する。
【０１００】
一方、上記ステップＳ４２に於いて、連写ボタン１７が押下されない場合は、ステップＳ４４に移行して電源ボタン１２が押下（オフ（ＯＦＦ））されたか否かが判断される。ここで、電源ボタン１２が押下された場合は、本サブルーチンを抜けて図８のフローチャートのステップＳ１１へ移行する。これに対し、電源ボタン１２が押下されない場合は、上記ステップＳ２１に移行する。
【０１０１】
ステップＳ４５では、表示部１５に展開表示による画像が表示される。このとき表示される例としては、図１０（ａ）、（ｂ）に示される１コマ表示、または図１１（ａ）、（ｂ）に示されるインデックス表示の画像が相当する。
【０１０２】
その後、ステップＳ４６以降の処理動作により、カメラ１０の各種ボタンによる指示が検知される。ステップＳ４６では、ズームボタン１６が操作されたか否かが判断される。ここで、ズームボタン１６が操作された場合は、ステップＳ４７に於いて、表示部１５に表示される画像は１コマであるか否かが判断される。
【０１０３】
このステップＳ４７にて１コマ表示である場合は、ステップＳ４８に於いて、ズームボタン１６が望遠側に操作されたか広角側に操作されたかが判断される。その結果、望遠側にズームボタン１６が操作された場合は、ステップＳ４９に移行して、図１５または図１７に示されるような拡大表示がなされる。その後、上記ステップＳ４５に移行する。一方、上記ステップＳ４８にて広角側にズームボタン１６が操作された場合は、ステップＳ５０に移行して、図１１（ａ）、（ｂ）に示されるようなインデックス表示がなされる。その後、上記ステップＳ４５に移行する。
【０１０４】
上記ステップＳ４７にて１コマ表示でない場合は、ステップＳ５１に於いて拡大表示であるか否かが判断される。ここで、拡大表示の場合は、ステップＳ５２に移行して、ズームボタン１６が望遠側に操作されたか広角側に操作されたかが判断される。その結果、望遠側にズームボタン１６が操作された場合は、ステップＳ５３に移行して、図１５または図１７に示されるように拡大倍率が上げられて画像が表示される。その後、上記ステップＳ４５に移行する。一方、上記ステップＳ５２にて広角側にズームボタン１６が操作された場合は、ステップＳ５４に移行して、図１０（ａ）、（ｂ）または図１６に示されるような１コマまたは拡大倍率が下げられた画像が表示される。その後、上記ステップＳ４５に移行する。
【０１０５】
更に、上記ステップＳ５１にて拡大表示がなされないと判断された場合は、ステップＳ５５に移行して、ズームボタン１６が望遠側に操作されたか広角側に操作されたかが判断される。その結果、望遠側にズームボタン１６が操作された場合は、ステップＳ５６に移行して、図１０（ａ）、（ｂ）または図１６に示されるような１コマの画像が表示される。その後、上記ステップＳ４５に移行する。一方、上記ステップＳ５５にて広角側にズームボタン１６が操作された場合は、ステップＳ５７に移行して、図１１（ａ）、（ｂ）に示されるように、現在のｎ行列より大きいｎ＋１行列のインデックス表示による画像が表示される。つまり、それまでのインデックス表示が３×３行列であった場合は、４×４行列となる。その後、上記ステップＳ４５に移行する。
【０１０６】
上記ステップＳ４６にて、ズームボタン１６が操作されない場合は、ステップＳ５８に於いて十字ボタン２１が操作されたか否かが判断される。ここで、十字ボタン２１が操作された場合は、ステップＳ５９に移行する。
【０１０７】
ステップＳ５９では、表示部１５に表示される画像は１コマであるか否かが判断される。ここで、１コマ表示である場合は、ステップＳ６０に移行して、十字ボタン２１の左ボタン２１ｃ、右ボタン２１ｄの操作により、コマ送り／戻し動作が行われる。その後、上記ステップＳ４５に移行する。
【０１０８】
上記ステップＳ５９にて１コマ表示でない場合は、ステップＳ６１に於いて拡大表示であるか否かが判断される。ここで、拡大表示の場合は、ステップＳ６２に移行して、十字ボタン２１の上ボタン２１ａ、下ボタン２１ｂ、左ボタン２１ｃ、右ボタン２１ｄにより、画面に表示されている画像の移動が、その方向に対応して行われる。その後、上記ステップＳ４５に移行する。
【０１０９】
更に、上記ステップＳ６１にて拡大表示がなされないと判断された場合は、ステップＳ６３に移行して、十字ボタン２１の上ボタン２１ａ、下ボタン２１ｂ、左ボタン２１ｃ、右ボタン２１ｄにより、画面内のカーソルが、その方向に対応して移動される。その後、上記ステップＳ４５に移行する。
【０１１０】
上記ステップＳ５８に於いて十字ボタン２１が操作されない場合は、ステップＳ６４に移行する。ここで、連写ボタン１７が押下された場合は、ステップＳ６５に移行して、図８（ａ）〜（ｄ）に示されるような、折り畳み表示が行われる。その後、上記ステップＳ２１に移行する。
【０１１１】
一方、上記ステップＳ６４に於いて、連写ボタン１７が押下されない場合は、ステップＳ６６に移行して電源ボタン１２が押下されたか否かが判断される。ここで、電源ボタン１２が押下された場合は、本サブルーチンを抜けて図８のフローチャートのステップＳ１１へ移行する。これに対し、電源ボタン１２が押下されない場合は、上記ステップＳ２１に移行する。
【０１１２】
次に、図２３乃至図２６のフローチャートを参照して、図１８のフローチャートのステップＳ７に於けるサブルーチン「撮影（Ａ−２）」の詳細な動作について説明する。
【０１１３】
尚、この図２３乃至図２６のフローチャートに於けるステップＳ７１〜Ｓ９２、Ｓ９５〜Ｓ１１５及びＳ１１７〜Ｓ１１８の各処理動作は、上述した図１９乃至図２２のフローチャートの、それぞれステップＳ２１〜Ｓ４２、Ｓ４４〜Ｓ６４及びＳ６５〜Ｓ６６と同様の処理動作であるので、それぞれ対応するステップ番号を参照するものとして、ここでの説明は省略する。
【０１１４】
本サブルーチンに入り、ステップＳ７１にて、表示部１５に折り畳み表示による画像が表示される。このとき表示される例としては、図８（ａ）〜（ｄ）、図９、図１６、図１７に示される連写画像または単写画像が相当する。その後、ステップＳ７２以降の処理動作により、カメラ１０の各種ボタンによる指示が検知される。
【０１１５】
そして、ステップＳ９２に於いて、連写ボタン１７が押下（オン（ＯＮ））された場合は、ステップＳ９３に於いて、図８（ａ）〜（ｄ）に示されるような折り畳み連写画像であるか否かが判断される。ここで、折り畳み連写画像でなければ、上記ステップＳ７２に移行する。一方、折り畳み連写画像であれば、ステップＳ９４に移行して、図１１（ａ）、（ｂ）に示されるような展開表示が行われる。その後、ステップＳ９６に移行する。
【０１１６】
また、ステップＳ１１５に於いて、連写ボタン１７が押下された場合は、ステップＳ１１６に移行して、連写１コマ画像であるか否かが判断される。ここで、連写１コマ画像でない場合は上記ステップＳ９６へ移行する。一方、連写１コマ画像である場合は、ステップＳ１１７に移行して、図８（ａ）〜（ｄ）に示されるような、折り畳み表示が行われる。その後、上記ステップＳ７１に移行する。
【０１１７】
次に、図２７乃至図３２のフローチャートを参照して、図１８のフローチャートのステップＳ８に於けるサブルーチン「撮影（Ｂ−１）」の詳細な動作について説明する。
【０１１８】
本サブルーチンに入ると、先ずステップＳ１２１にて、表示部１５に折り畳み表示による画像が表示される。このとき表示される例としては、図８（ａ）〜（ｄ）、図９、図１６、図１７に示される連写画像または単写画像が相当する。その後、ステップＳ１２２以降の処理動作により、カメラ１０の各種ボタンによる指示が検知される。
【０１１９】
ステップＳ１２２では、レリーズボタン１３が押下（オン（ＯＮ））されたか否かが判断される。ここで、レリーズボタン１３がオンされたならば、ステップＳ１２３に移行して、通常の単写撮影による１枚の撮影が行われる。その後、上記ステップＳ１２２に移行する。
【０１２０】
上記ステップＳ１２２にてレリーズボタン１３がオンされていない場合は、次にステップＳ１２４に於いて、ズームボタン１６が操作（ＯＮ）されたか否かが判断される。ここで、ズームボタン１６が操作された場合は、ステップＳ１２５に於いて、表示部１５に表示される画像は１コマであるか否かが判断される。
【０１２１】
このステップＳ１２５にて１コマ表示である場合は、ステップＳ１２６に於いて、ズームボタン１６が望遠側（“Ｔ”）に操作されたか広角側（“Ｗ”）に操作されたかが判断される。その結果、望遠側にズームボタン１６が操作された場合は、ステップＳ１２７に移行して、図１７に示されるような拡大表示がなされる。その後、上記ステップＳ１２２に移行する。一方、上記ステップＳ１２６にて広角側にズームボタン１６が操作された場合は、ステップＳ１２８に移行して、図９に示されるようなインデックス表示がなされる。その後、上記ステップＳ１２２に移行する。
【０１２２】
上記ステップＳ１２５にて１コマ表示でない場合は、ステップＳ１２９に於いて拡大表示であるか否かが判断される。ここで、拡大表示の場合は、ステップＳ１３０に移行して、ズームボタン１６が望遠側に操作されたか広角側に操作されたかが判断される。その結果、望遠側にズームボタン１６が操作された場合は、ステップＳ１３１に移行して、図１７に示されるように拡大倍率が上げられて画像が表示される。その後、上記ステップＳ１２２に移行する。一方、上記ステップＳ１３０にて広角側にズームボタン１６が操作された場合は、ステップＳ１３２に移行して、図８（ａ）〜（ｄ）または図１６に示されるような１コマまたは拡大倍率が下げられた画像が表示される。その後、上記ステップＳ１２２に移行する。
【０１２３】
更に、上記ステップＳ１２９にて拡大表示がなされないと判断された場合は、ステップＳ１３３に移行して、ズームボタン１６が望遠側に操作されたか広角側に操作されたかが判断される。その結果、望遠側にズームボタン１６が操作された場合は、ステップＳ１３４に移行して、図８（ａ）〜（ｄ）または図１６に示されるような１コマの画像が表示される。その後、上記ステップＳ１２２に移行する。一方、上記ステップＳ１３３にて広角側にズームボタン１６が操作された場合は、ステップＳ１３５に移行して、図９に示されるように、現在のｎ行列より大きいｎ＋１行列のインデックス表示による画像が表示される。
【０１２４】
上記ステップＳ１２４にて、ズームボタン１６が操作されない場合は、ステップＳ１３６に於いて十字ボタン２１が操作（ＯＮ）されたか否かが判断される。ここで、十字ボタン２１が操作された場合は、ステップＳ１３７に移行する。
【０１２５】
ステップＳ１３７では、表示部１５に表示される画像は１コマであるか否かが判断される。ここで、１コマ表示である場合は、ステップＳ１３８に移行して、十字ボタン２１の左ボタン２１ｃ、右ボタン２１ｄの操作により、コマ送り／戻し動作が行われる。その後、上記ステップＳ１２２に移行する。
【０１２６】
上記ステップＳ１３７にて１コマ表示でない場合は、ステップＳ１３９に於いて拡大表示であるか否かが判断される。ここで、拡大表示の場合は、ステップＳ１４０に移行して、十字ボタン２１の上ボタン２１ａ、下ボタン２１ｂ、左ボタン２１ｃ、右ボタン２１ｄにより、画面に表示されている画像の移動が、その方向に対応して行われる。その後、上記ステップＳ１２２に移行する。
【０１２７】
更に、上記ステップＳ１３９にて拡大表示がなされないと判断された場合は、ステップＳ１４１に移行して、十字ボタン２１の上ボタン２１ａ、下ボタン２１ｂ、左ボタン２１ｃ、右ボタン２１ｄにより、画面内のカーソルが、その方向に対応して移動される。その後、上記ステップＳ１２２に移行する。
【０１２８】
上記ステップＳ１３６に於いて十字ボタン２１が操作されない場合は、ステップＳ１４２に移行する。ここで、連写ボタン１７が押下（オン（ＯＮ））された場合は、ステップＳ１４３に於いて、図８（ａ）〜（ｄ）に示されるような折り畳み連写画像であるか否かが判断される。ここで、折り畳み連写画像でなければ、上記ステップＳ１２２に移行する。一方、折り畳み連写画像であれば、ステップＳ１４４に移行して、図１２（ａ）、（ｂ）に示されるような展開表示が行われる。その後、ステップＳ１４６に移行する。
【０１２９】
また、上記ステップＳ１４２に於いて、連写ボタン１７が押下されない場合は、ステップＳ１４５に移行して電源ボタン１２が押下（オフ（ＯＦＦ））されたか否かが判断される。ここで、電源ボタン１２が押下された場合は、本サブルーチンを抜けて図８のフローチャートのステップＳ１１へ移行する。これに対し、電源ボタン１２が押下されない場合は、上記ステップＳ１２１に移行する。
【０１３０】
ステップＳ１４６では、表示部１５に展開表示の第１段階による画像が表示される。このとき表示される例としては、図１０（ａ）、（ｂ）に示される１コマ表示、図１２（ａ）、（ｂ）に示されるインデックス表示、図１５に示される連写の拡大表示、または図１６に示される単写の１コマ表示の画像が相当する。
【０１３１】
その後、ステップＳ１４７以降の処理動作により、カメラ１０の各種ボタンによる指示が検知される。
【０１３２】
ステップＳ１４７では、ズームボタン１６が操作されたか否かが判断される。ここで、ズームボタン１６が操作された場合は、ステップＳ１４８に於いて、表示部１５に表示される画像は１コマであるか否かが判断される。
【０１３３】
このステップＳ１４８にて１コマ表示である場合は、ステップＳ１４９に於いて、ズームボタン１６が望遠側に操作されたか広角側に操作されたかが判断される。その結果、望遠側にズームボタン１６が操作された場合は、ステップＳ１５０に移行して、図１５または図１７に示されるような拡大表示がなされる。その後、上記ステップＳ１４６に移行する。一方、上記ステップＳ１４９にて広角側にズームボタン１６が操作された場合は、ステップＳ１５１に移行して、図１２（ａ）、（ｂ）に示されるようなインデックス表示がなされる。その後、上記ステップＳ１４６に移行する。
【０１３４】
上記ステップＳ１４８にて１コマ表示でない場合は、ステップＳ１５２に於いて拡大表示であるか否かが判断される。ここで、拡大表示の場合は、ステップＳ１５３に移行して、ズームボタン１６が望遠側に操作されたか広角側に操作されたかが判断される。その結果、望遠側にズームボタン１６が操作された場合は、ステップＳ１５４に移行して、図１５または図１７に示されるように拡大倍率が上げられて画像が表示される。その後、上記ステップＳ１４６に移行する。一方、上記ステップＳ１５３にて広角側にズームボタン１６が操作された場合は、ステップＳ１５５に移行して、図１０（ａ）、（ｂ）または図１６に示されるような１コマまたは拡大倍率が下げられた画像が表示される。その後、上記ステップＳ１４６に移行する。
【０１３５】
更に、上記ステップＳ１５２にて拡大表示がなされないと判断された場合は、ステップＳ１５６に移行して、ズームボタン１６が望遠側に操作されたか広角側に操作されたかが判断される。その結果、望遠側にズームボタン１６が操作された場合は、ステップＳ１５７に移行して、図１０（ａ）、（ｂ）または図１６に示されるような１コマの画像が表示される。その後、上記ステップＳ１４６に移行する。一方、上記ステップＳ１５６にて広角側にズームボタン１６が操作された場合は、ステップＳ１５８に移行して、図１２（ａ）、（ｂ）に示されるように、現在のｎ行列より大きいｎ＋１行列のインデックス表示による画像が表示される。その後、上記ステップＳ１４６に移行する。
【０１３６】
上記ステップＳ１４７にて、ズームボタン１６が操作されない場合は、ステップＳ１５９に於いて十字ボタン２１が操作されたか否かが判断される。ここで、十字ボタン２１が操作された場合は、ステップＳ１６０に移行する。
【０１３７】
ステップＳ１６０では、表示部１５に表示される画像は１コマであるか否かが判断される。ここで、１コマ表示である場合は、ステップＳ１６１に移行して、十字ボタン２１の左ボタン２１ｃ、右ボタン２１ｄの操作により、コマ送り／戻し動作が行われる。その後、上記ステップＳ１４６に移行する。
【０１３８】
上記ステップＳ１６０にて１コマ表示でない場合は、ステップＳ１６２に於いて拡大表示であるか否かが判断される。ここで、拡大表示の場合は、ステップＳ１６３に移行して、十字ボタン２１の上ボタン２１ａ、下ボタン２１ｂ、左ボタン２１ｃ、右ボタン２１ｄにより、画面に表示されている画像の移動が、その方向に対応して行われる。その後、上記ステップＳ１４６に移行する。
【０１３９】
更に、上記ステップＳ１６２にて拡大表示がなされないと判断された場合は、ステップＳ１６４に移行して、十字ボタン２１の上ボタン２１ａ、下ボタン２１ｂ、左ボタン２１ｃ、右ボタン２１ｄにより、画面内のカーソルが、その方向に対応して移動される。その後、上記ステップＳ１４６に移行する。
【０１４０】
上記ステップＳ１５９に於いて十字ボタン２１が操作されない場合は、ステップＳ１６５に移行する。このステップＳ１６５に於いて、連写ボタン１７が押下された場合は、ステップＳ１６６に移行して、図８（ａ）〜（ｄ）に示されるような連写画像の折り畳み表示であるか否かが判断される。ここで、連写画像の折り畳み表示である場合は、ステップＳ１６７に移行して、図１０（ａ）、（ｂ）または図１２（ａ）、（ｂ）に示されるような、展開表示が行われる。その後、ステップＳ１７１に移行する。
【０１４１】
上記ステップＳ１６６にて連写画像の折り畳み表示はないとされた場合は、ステップＳ１６８に移行して、連写１コマ画像であるか否かが判断される。ここで、連写１コマ画像でない場合は上記ステップＳ１４６へ移行する。一方、連写１コマ画像である場合は、ステップＳ１６９に移行して、図８（ａ）〜（ｄ）に示されるような、折り畳み表示が行われる。その後、上記ステップＳ１２１に移行する。
【０１４２】
ステップＳ１７１以降は、展開表示の第ｎ段階による画像表示についての説明である。すなわち、ステップＳ１７１では、表示部１５に展開表示の第ｎ段階による画像表示が行われる。ここで表示される例としては、図１０（ａ）、（ｂ）に示される１コマ表示、図１２（ａ）、（ｂ）に示されるインデックス表示、図１５に示される連写の拡大表示、または図１７に示される単写の拡大表示の画像が相当する。
【０１４３】
その後、ステップＳ１７２以降の処理動作により、カメラ１０の各種ボタンによる指示が検知される。
【０１４４】
ステップＳ１７２〜Ｓ１９１及びＳ１９３〜Ｓ１９５の処理動作は、上述した図２９及び図３０のフローチャートのステップＳ１４７〜Ｓ１６７及びＳ１６８〜Ｓ１７０と同様であるので、それぞれ対応するステップ番号を参照するものとして、その説明は省略する。但し、ステップＳ１８５、Ｓ１８７、Ｓ１８８の処理動作の後、及びステップＳ１９３にて連写１コマ画像でない場合は、ステップＳ１４６ではなくステップＳ１７１に移行する。また、ステップＳ１９１にて、図１０（ａ）、（ｂ）または図１２（ａ）、（ｂ）に示されるような展開表示が行われた後には、ステップＳ１９２に移行する。
【０１４５】
このステップＳ１９２では、ｎがインクリメントされる。これにより、展開表示の動作が、第ｎ段階から第ｎ＋１段階に移行する。その後、上記ステップＳ１７１に移行して、それ以降、ステップＳ１７１〜Ｓ１９５に於いて、順次追加された階層についての展開表示の処理が行われる。
【０１４６】
次に、図３３乃至図３８のフローチャートを参照して、図１８のフローチャートのステップＳ９に於けるサブルーチン「撮影（Ｂ−２）」の詳細な動作について説明する。
【０１４７】
尚、この図３３乃至図３８のフローチャートに於けるステップＳ２０２〜Ｓ２２３、Ｓ２２５、Ｓ２２７〜Ｓ２３０、Ｓ２３２〜Ｓ２３７、Ｓ２３９〜Ｓ２４６、Ｓ２５１、Ｓ２５３〜Ｓ２５６、Ｓ２５８〜Ｓ２６３、Ｓ２６５〜Ｓ２７２、Ｓ２７５〜Ｓ２７６及びＳ２７８の各処理動作は、上述した図２７乃至図３２のフローチャートの、それぞれステップＳ１２２〜Ｓ１４３、Ｓ１４５、Ｓ１４７〜Ｓ１５０、Ｓ１５２〜Ｓ１５７、Ｓ１５９〜Ｓ１６６、Ｓ１７０、Ｓ１７２〜Ｓ１７５、Ｓ１７７〜Ｓ１８１、Ｓ１８３〜Ｓ１９０、Ｓ１９３〜Ｓ１９４及びＳ１９５と同様の処理動作であるので、それぞれ対応するステップ番号を参照するものとして、ここでの説明は省略する。
【０１４８】
本サブルーチンに入ると、先ずステップＳ２０１にて、表示部１５に折り畳み表示による画像が表示される。このとき表示される例としては、図８（ａ）〜（ｄ）、図１６に示される連写画像または単写画像が相当する。その後、ステップＳ２０２以降の処理動作により、カメラ１０の各種ボタンによる指示が検知される。
【０１４９】
そして、ステップＳ２２２に於いて、連写ボタン１７が押下（オン（ＯＮ））された場合は、ステップＳ２２３に於いて、図８（ａ）〜（ｄ）に示されるような折り畳み連写画像であるか否かが判断される。ここで、折り畳み連写画像でなければ、上記ステップＳ２０２に移行する。一方、折り畳み連写画像であれば、ステップＳ２２４に移行して、図１０（ａ）、（ｂ）または、図１３（ａ）〜（ｃ）に示されるような展開表示が行われる。その後、ステップＳ２２６に移行する。
【０１５０】
ステップＳ２２６では、表示部１５に展開表示の第１段階による画像が表示される。このとき表示される例としては、図１０（ａ）、（ｂ）に示される１コマ表示、図１３（ａ）〜（ｃ）に示されるインデックス表示、図１５に示される連写の拡大表示、または図１７に示される単写の１コマ拡大表示の画像が相当する。
【０１５１】
その後、ステップＳ２２７以降の処理動作により、カメラ１０の各種ボタンによる指示が検知される。
【０１５２】
ステップＳ２２７〜Ｓ２２９にて、表示部１５に表示される画像は１コマであって、ズームボタン１６が望遠側に操作された場合は、ステップＳ２３０に移行して図１５または図１７に示されるような拡大表示がなされ、ズームボタン１６が広角側に操作された場合は、ステップＳ２３１に移行して、図１３（ａ）〜（ｃ）に示されるようなインデックス表示がなされる。その後、上記ステップＳ２２６に移行する。
【０１５３】
また、上記ステップＳ２２８にて１コマ表示でなく、ステップＳ２３２にて拡大表示でないとされた場合は、ステップＳ２３６に移行してズームボタン１６が望遠側に操作されたか広角側に操作されたかが判断される。その結果、望遠側にズームボタン１６が操作された場合は、ステップＳ２３７に移行して、図１０（ａ）、（ｂ）または図１６に示されるような１コマの画像が表示された後、上記ステップＳ２２６に移行する。一方、上記ステップＳ２３６にてズームボタン１６が広角側に操作された場合は、ステップＳ２３８に移行して、図１３（ａ）〜（ｃ）に示されるように、現在のｎ行列より大きいｎ＋１行列のインデックス表示による画像が表示される。その後、上記ステップＳ２２６に移行する。
【０１５４】
更に、ステップＳ２４５に於いて、連写ボタン１７が押下された場合は、ステップＳ２４６に移行して、図８（ａ）〜（ｄ）に示されるような連写画像の折り畳み表示であるか否かが判断される。ここで、連写画像の折り畳み表示である場合は、ステップＳ２４７に移行して、図１０（ａ）、（ｂ）または図１３（ａ）〜（ｃ）に示されるような、展開表示が行われる。その後、ステップＳ２５１に移行する。
【０１５５】
上記ステップＳ２４６にて連写画像の折り畳み表示はないとされた場合は、ステップＳ２４８に移行して、図８（ａ）〜（ｄ）に示されるような連写１コマ画像であるか否かが判断される。ここで、連写１コマ画像でない場合は上記ステップＳ２２６へ移行する。一方、連写１コマ画像である場合は、ステップＳ２４９に移行して、図１０（ａ）、（ｂ）または図１３（ａ）〜（ｃ）に示されるような、連写画像が展開表示される。そして、ステップＳ２５０に移行して、ｎがデクリメントされる。これにより、展開表示の動作が、第ｎ段階から第ｎ−１段階に移行する。その後、ステップＳ２５２に移行する。
【０１５６】
ステップＳ２５２以降は、展開表示の第ｎ段階による画像表示についての説明である。すなわち、ステップＳ２５２では、表示部１５に展開表示の第ｎ段階による画像表示が行われる。ここで表示される例としては、図１０（ａ）、（ｂ）に示される１コマ表示、図１３（ａ）〜（ｃ）に示されるインデックス表示、図１５に示される連写の拡大表示、または図１７に示される単写の拡大表示の画像が相当する。
【０１５７】
その後、ステップＳ２５３以降の処理動作により、カメラ１０の各種ボタンによる指示が検知される。
【０１５８】
ステップＳ２５３〜Ｓ２７２及びＳ２７５〜Ｓ２７８の処理動作は、上述した図３５及び図３６のフローチャートのステップＳ２２７〜Ｓ２４６及びＳ２４８〜Ｓ２５１と同様である。但し、ステップＳ２６７、Ｓ２６９、Ｓ２７０の処理動作の後は、ステップＳ２２６ではなくステップＳ２５２に移行する。
【０１５９】
ステップＳ２７２にて連写画像の折り畳み表示が行われる場合は、ステップＳ２７３に移行して、図１０（ａ）、（ｂ）または図１３（ａ）〜（ｃ）に示されるような展開表示が行われる。次いで、ステップＳ２７４にてｎがインクリメントされる。これにより、展開表示の動作が、第ｎ段階から第ｎ＋１段階に移行する。その後、上記ステップＳ２５２に移行して、それ以降、ステップＳ２５２〜Ｓ２７８に於いて、順次新たな階層についての展開表示の処理が行われる。
【０１６０】
また、ステップＳ２７６にて折り畳み表示が行われた後は、ステップＳ２７７に移行して、ｎがデクリメントされる。これにより、展開表示の動作が、第ｎ段階から第ｎ−１段階に移行する。その後、上記ステップＳ２５２に移行する。これ以降、ステップＳ２５２〜Ｓ２７８に於いて、順次展開表示されていた画像の階層が１つずつ折り畳まれ、最終的には折り畳み表示に移行する。
【０１６１】
次に、図３９乃至図４２のフローチャートを参照して、図１８のフローチャートのステップＳ１０に於けるサブルーチン「撮影（Ｃ）」の詳細な動作について説明する。
【０１６２】
本サブルーチンに入ると、先ずステップＳ２８１にて、表示部１５に折り畳み表示による画像が表示される。このとき表示される例としては、図８（ａ）〜（ｄ）、図９、図１６、図１７に示される連写画像または単写画像が相当する。その後、ステップＳ２８２以降の処理動作により、カメラ１０の各種ボタンによる指示が検知される。
【０１６３】
ステップＳ２８２では、レリーズボタン１３が押下（オン（ＯＮ））されたか否かが判断される。ここで、レリーズボタン１３がオンされたならば、ステップＳ２８３に移行して、通常の単写撮影による１枚の撮影が行われる。その後、上記ステップＳ２８２に移行する。
【０１６４】
上記ステップＳ２８２にてレリーズボタン１３がオンされていない場合は、次にステップＳ２８４に於いて、ズームボタン１６が操作（ＯＮ）されたか否かが判断される。ここで、ズームボタン１６が操作された場合は、ステップＳ２８５に於いて、表示部１５に表示される画像は１コマであるか否かが判断される。
【０１６５】
このステップＳ２８５にて１コマ表示である場合は、ステップＳ２８６に於いて、ズームボタン１６が望遠側（“Ｔ”）に操作されたか広角側（“Ｗ”）に操作されたかが判断される。その結果、望遠側にズームボタン１６が操作された場合は、ステップＳ２８７に移行して、図１７に示されるような拡大表示がなされる。その後、上記ステップＳ２８２に移行する。一方、上記ステップＳ２８６にて広角側にズームボタン１６が操作された場合は、ステップＳ２８８に移行して、図９に示されるようなインデックス表示がなされる。その後、上記ステップＳ２８２に移行する。
【０１６６】
上記ステップＳ２８５にて１コマ表示でない場合は、ステップＳ２８９に於いて拡大表示であるか否かが判断される。ここで、拡大表示の場合は、ステップＳ２９０に移行して、ズームボタン１６が望遠側に操作されたか広角側に操作されたかが判断される。その結果、望遠側にズームボタン１６が操作された場合は、ステップＳ２９１に移行して、図１７に示されるように拡大倍率が上げられて画像が表示される。その後、上記ステップＳ２８２に移行する。一方、上記ステップＳ２９０にて広角側にズームボタン１６が操作された場合は、ステップＳ２９２に移行して、図８（ａ）〜（ｄ）または図１６に示されるような１コマまたは拡大倍率が下げられた画像が表示される。その後、上記ステップＳ２８２に移行する。
【０１６７】
更に、上記ステップＳ２８９にて拡大表示がなされないと判断された場合は、ステップＳ２９３に移行して、ズームボタン１６が望遠側に操作されたか広角側に操作されたかが判断される。その結果、望遠側にズームボタン１６が操作された場合は、ステップＳ２９４に移行して、図８（ａ）〜（ｄ）または図１６に示されるような１コマの画像が表示される。その後、上記ステップＳ２８２に移行する。一方、上記ステップＳ２９３にて広角側にズームボタン１６が操作された場合は、ステップＳ２９５に移行して、図９に示されるように、現在のｎ行列より大きいｎ＋１行列のインデックス表示による画像が表示される。
【０１６８】
上記ステップＳ２８４にて、ズームボタン１６が操作されない場合は、ステップＳ２９６に於いて十字ボタン２１が操作（ＯＮ）されたか否かが判断される。ここで、十字ボタン２１が操作された場合は、ステップＳ２９７に移行する。
【０１６９】
ステップＳ２９７では、表示部１５に表示される画像は１コマであるか否かが判断される。ここで、１コマ表示である場合は、ステップＳ２９８に移行して、十字ボタン２１の左ボタン２１ｃ、右ボタン２１ｄの操作により、コマ送り／戻し動作が行われる。その後、上記ステップＳ２８２に移行する。
【０１７０】
上記ステップＳ２９７にて１コマ表示でない場合は、ステップＳ２９９に於いて拡大表示であるか否かが判断される。ここで、拡大表示の場合は、ステップＳ３００に移行して、十字ボタン２１の上ボタン２１ａ、下ボタン２１ｂ、左ボタン２１ｃ、右ボタン２１ｄにより、画面に表示されている画像の移動が、その方向に対応して行われる。その後、上記ステップＳ２８２に移行する。
【０１７１】
更に、上記ステップＳ２９９にて拡大表示がなされないと判断された場合は、ステップＳ３０１に移行して、十字ボタン２１の上ボタン２１ａ、下ボタン２１ｂ、左ボタン２１ｃ、右ボタン２１ｄにより、画面内のカーソルが、その方向に対応して移動される。その後、上記ステップＳ２８２に移行する。
【０１７２】
上記ステップＳ２９６に於いて十字ボタン２１が操作されない場合は、ステップＳ３０２に移行する。ここで、連写ボタン１７が押下（オン（ＯＮ））された場合は、ステップＳ３０３に移行して、図１０（ａ）、（ｂ）に示されるような画像が展開表示される。その後、ステップＳ３０５に移行する。
【０１７３】
また、上記ステップＳ３０２に於いて、連写ボタン１７が押下されない場合は、ステップＳ３０４に移行して電源ボタン１２が押下（オフ（ＯＦＦ））されたか否かが判断される。ここで、電源ボタン１２が押下された場合は、本サブルーチンを抜けて図８のフローチャートのステップＳ１１へ移行する。これに対し、電源ボタン１２が押下されない場合は、上記ステップＳ２８１に移行する。
【０１７４】
ステップＳ３０５では、表示部１５に展開表示の第１段階による画像が表示される。ここで表示される例としては、図１０（ａ）、（ｂ）に示される１コマ表示、図１４に示されるインデックス表示、図１５に示される連写の拡大表示、または図１６に示される単写の１コマ表示の画像が相当する。
【０１７５】
その後、ステップＳ３０６以降の処理動作により、カメラ１０の各種ボタンによる指示が検知される。
【０１７６】
ステップＳ３０６では、ズームボタン１６が操作されたか否かが判断される。ここで、ズームボタン１６が操作された場合は、ステップＳ３０７に於いて、表示部１５に表示される画像は１コマであるか否かが判断される。
【０１７７】
このステップＳ３０７にて１コマ表示である場合は、ステップＳ３０８に於いて、ズームボタン１６が望遠側に操作されたか広角側に操作されたかが判断される。その結果、望遠側にズームボタン１６が操作された場合は、ステップＳ３０９に移行して、図１５または図１７に示されるような拡大表示がなされる。その後、上記ステップＳ３０５に移行する。一方、上記ステップＳ３０８にて広角側にズームボタン１６が操作された場合は、ステップＳ３１０に移行して、図１４に示されるようなインデックス表示がなされる。その後、上記ステップＳ３０５に移行する。
【０１７８】
上記ステップＳ３０７にて１コマ表示でない場合は、ステップＳ３１１に於いて拡大表示であるか否かが判断される。ここで、拡大表示の場合は、ステップＳ３１２に移行して、ズームボタン１６が望遠側に操作されたか広角側に操作されたかが判断される。その結果、望遠側にズームボタン１６が操作された場合は、ステップＳ３１３に移行して、図１５または図１７に示されるように拡大倍率が上げられて画像が表示される。その後、上記ステップＳ３０５に移行する。一方、上記ステップＳ３１２にて広角側にズームボタン１６が操作された場合は、ステップＳ３１４に移行して、図１０（ａ）、（ｂ）または図１６に示されるような１コマまたは拡大倍率が下げられた画像が表示される。その後、上記ステップＳ３０５に移行する。
【０１７９】
更に、上記ステップＳ３１１にて拡大表示がなされないと判断された場合は、ステップＳ３１５に移行して、ズームボタン１６が望遠側に操作されたか広角側に操作されたかが判断される。その結果、望遠側にズームボタン１６が操作された場合は、ステップＳ３１６に移行して、図１０（ａ）、（ｂ）または図１６に示されるような１コマの画像が表示される。その後、上記ステップＳ３０５に移行する。一方、上記ステップＳ３１５にて広角側にズームボタン１６が操作された場合は、ステップＳ３１７に移行して、図１４に示されるように、現在のｎ行列より大きいｎ＋１行列のインデックス表示による画像が表示される。その後、上記ステップＳ３０５に移行する。
【０１８０】
上記ステップＳ３０６にて、ズームボタン１６が操作されない場合は、ステップＳ３１８に於いて十字ボタン２１が操作されたか否かが判断される。ここで、十字ボタン２１が操作された場合は、ステップＳ３１９に移行する。
【０１８１】
ステップＳ３１９では、拡大表示であるか否かが判断される。ここで、拡大表示の場合は、ステップＳ３２０に移行して、十字ボタン２１の上ボタン２１ａ、下ボタン２１ｂ、左ボタン２１ｃ、右ボタン２１ｄにより、画面に表示されている画像の移動が、その方向に対応して行われる。その後、上記ステップＳ３０５に移行する。
【０１８２】
上記ステップＳ３１９にて拡大表示がなされないと判断された場合は、ステップＳ３２１に移行して、インデックス表示であるか否かが判断される。ここで、インデックス表示である場合は、ステップＳ３２２に移行して、十字ボタン２１の上ボタン２１ａ、下ボタン２１ｂ、左ボタン２１ｃ、右ボタン２１ｄにより、画面内のカーソルが、その方向に対応して移動される。その後、上記ステップＳ３０５に移行する。
【０１８３】
また、上記ステップＳ３２１に於いてインデックス表示でない場合は、十字ボタン２１の操作状態が判断される。ここで、十字ボタン２１の右ボタン２１ｄが操作された場合は、ステップＳ３２４に移行し、左ボタン２１ｃが操作された場合はステップＳ３２７に移行する。
【０１８４】
ステップＳ３２４では、記録されている最終のコマの画像であるか否かが判断される。ここで、最終コマの画像でない場合は、ステップＳ３２５に移行して次のコマの画像が読み出される（コマ送り）。その後、上記ステップＳ３０５に移行する。一方、上記ステップＳ３２４に於いて最終コマであると判断された場合は、ステップＳ３２６に移行して最初のコマの画像に移動する。その後、上記ステップＳ３０５に移行する。
【０１８５】
また、ステップＳ３２７では、記録されている最初のコマの画像であるか否かが判断される。ここで、最初のコマの画像でない場合は、ステップＳ３２８に移行して１つ前のコマの画像が読み出される（コマ戻し）。その後、上記ステップＳ３０５に移行する。一方、上記ステップＳ３２７に於いて最初のコマであると判断された場合は、ステップＳ３２９に移行して最終のコマの画像に移動する。その後、上記ステップＳ３０５に移行する。
【０１８６】
上記ステップＳ３１８に於いて十字ボタン２１が操作されない場合は、ステップＳ３３０に移行して、連写ボタン１７が押下されたか否かが判断される。ここで、連写ボタン１７が押下された場合は、ステップＳ３３１に移行して、連写の１コマ画像であるか否かが判断される。ここで、連写の１コマ画像でない場合は、上記ステップＳ３０５へ移行する。これに対して、連写の１コマ画像である場合は、ステップＳ３３２に移行して、図８（ａ）〜（ｄ）に示されるような、折り畳み表示が行われる。その後、ステップＳ２８１に移行する。
【０１８７】
上記ステップＳ３３０にて連写ボタン１７が押下されない場合は、ステップＳ３３３に於いて、電源ボタン１２が押下されたか否かが判断される。ここで、電源ボタン１２が押下された場合は、本サブルーチンを抜けて図８のフローチャートのステップＳ１１へ移行する。これに対し、電源ボタン１２が押下されない場合は、上記ステップＳ２８１に移行する。
【０１８８】
このように、本実施形態によれば、折り畳み表示と展開表示を容易に切り替えることができ、再生時や編集時／プリント予約時等で、連写した一組の画像と、その個々の連写画像の表示切り替えを容易に行うことができる。
【０１８９】
以上、本発明の実施形態について説明したが、本発明は上述した実施形態以外にも、本発明の要旨を逸脱しない範囲で種々の変形実施が可能である。
【０１９０】
更に、上述した実施形態には種々の段階の発明が含まれており、開示される複数の構成要件の適当な組合せにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成も発明として抽出され得る。
【産業上の利用可能性】
【０１９１】
本発明によれば、折り畳み表示と展開表示の切り替えについて、不足部分を解決し、再生時や編集時／プリント予約時等で、連写した組画像とその個々の連写画像の表示切り替えを容易に行うことのできる画像表示装置及びカメラが得られる。
【符号の説明】
【０１９２】
１０…デジタルカメラ（カメラ）、１１…撮影レンズ、１２…電源ボタン、１３…レリーズボタン、１５…表示部（ＴＦＴ液晶）、１６…ズームボタン、１７…連写ボタン、１８…メニューボタン、２０…ＯＫボタン、２１…十字ボタン、２１ａ…上ボタン、２１ｂ…下ボタン、２１ｃ…左ボタン、２１ｄ…右ボタン、２５…撮像素子、２６…撮像部、２７…アナログ−デジタル（Ａ／Ｄ）変換器、３０…バス、３１…画像処理部、３２…画像バッファメモリ、３３…表示処理部、３４…内蔵メモリ、３５…外部メモリ、３６…有線インターフェイス（Ｉ／Ｆ）、３７…無線インターフェイス（Ｉ／Ｆ）、３８…圧縮伸長部、４０…中央処理装置（ＣＰＵ）、４２…ｆｌａｓｈ  ＲＯＭ（フラッシュＲＯＭ）、４３…操作部、４４…マイク（録音部）。
【図１】
2010183523.tif 000003
【図２】
2010183523.tif 000004
【図３】
2010183523.tif 000005
【図４】
2010183523.tif 000006
【図５】
2010183523.tif 000007
【図６】
2010183523.tif 000008
【図７】
2010183523.tif 000009
【図８】
2010183523.tif 000010
【図９】
2010183523.tif 000011
【図１０】
2010183523.tif 000012
【図１１】
2010183523.tif 000013
【図１２】
2010183523.tif 000014
【図１３】
2010183523.tif 000015
【図１４】
2010183523.tif 000016
【図１５】
2010183523.tif 000017
【図１６】
2010183523.tif 000018
【図１７】
2010183523.tif 000019
【図１８】
2010183523.tif 000020
【図１９】
2010183523.tif 000021
【図２０】
2010183523.tif 000022
【図２１】
2010183523.tif 000023
【図２２】
2010183523.tif 000024
【図２３】
2010183523.tif 000025
【図２４】
2010183523.tif 000026
【図２５】
2010183523.tif 000027
【図２６】
2010183523.tif 000028
【図２７】
2010183523.tif 000029
【図２８】
2010183523.tif 000030
【図２９】
2010183523.tif 000031
【図３０】
2010183523.tif 000032
【図３１】
2010183523.tif 000033
【図３２】
2010183523.tif 000034
【図３３】
2010183523.tif 000035
【図３４】
2010183523.tif 000036
【図３５】
2010183523.tif 000037
【図３６】
2010183523.tif 000038
【図３７】
2010183523.tif 000039
【図３８】
2010183523.tif 000040
【図３９】
2010183523.tif 000041
【図４０】
2010183523.tif 000042
【図４１】
2010183523.tif 000043
【図４２】
2010183523.tif 000044